【事件の表示】
　特許第２９０４９６９号「ダスト発生の少ない写真用薬品」の請求項１に係る特許に対する特許異議の申立てについて、次のとおり決定する。
【結　論】
　訂正を認める。
　特許第２９０４９６９号の請求項１に係る特許を維持する。
【理　由】
Ｉ．手続の経緯
　本件特許第２９０４９６９号は、平成３年８月６日（優先権主張　１９９０年８月１１日　ドイツ）に出願され、平成１１年３月２６日にその特許の設定登録がなされた。
　本件特許公報は、平成１１年６月１４日に発行され、その特許に対して、コニカ株式会社より特許異議の申立があり、取消理由通知がなされ、その指定期間内である平成１２年６月１３日に訂正請求がなされた。この訂正請求に対して、訂正拒絶理由通知がなされ、その指定期間内に意見書が提出された。
II．訂正の適否
１．訂正事項
　訂正を請求する事項は、次のとおりである。
　訂正事項ａ
明細書の発明の名称の欄における「写真用薬品」を「写真現像用薬品」と訂正する。
　訂正事項ｂ−１
明細書の特許請求の範囲の請求項１の「必須の活性成分及び助剤を含有する写真処理用薬品」を「黒白又はカラー現像剤化合物、及び助剤を含有する写真現像用薬品」と訂正する。
　訂正事項ｂ−２
明細書の特許請求の範囲請求項１の末尾の「写真処理用薬品」を「写真現像用薬品」と訂正する。
  訂正事項ｃ
明細書の段落【０００１】中の「写真用薬品」を「写真現像用薬品」と訂正する。
　訂正事項ｄ
明細書の段落【００１１】中の「必須の活性成分及び助剤を含有する固形状に処方された写真処理用薬品」を「黒白又はカラー現像剤化合物、及び助剤を含有する固形状に処方された写真現像用薬品」と訂正する。
　訂正事項ｅ
明細書の段落【００１４】中の「写真処理薬剤は、黒白現像剤、カラー現像剤、漂白剤、定着剤、漂白定着剤、および安定剤など」を「写真現像剤は、黒白現像剤、カラー現像剤」と訂正する。
　訂正事項ｆ
明細書の段落【００１５】中の「写真処理用薬剤は、通常の活性な主薬と補助剤」を「写真現像剤は、通常の助剤」と訂正する。
　訂正事項ｇ
明細書の段落【００１６】中の「写真処理浴の活性な主薬と補助剤」を「写真現像剤と助剤」と訂正する。
　訂正事項ｈ
明細書の段落【００１７】中の「処理浴」（２箇所）を「現像用薬品」と訂正する。
　訂正事項ｉ
明細書の段落【００１８】〜【００２１】中の「【実施例】実施例１・・・・５分後のダスト含有量　　　　　　０．０１重量％」を削除する。
　訂正事項ｊ
明細書の段落【００２１】中の「実施例５」を「実施例１」と訂正する。
　訂正事項ｋ
明細書の段落【００２４】中の「必須の活性成分及び助剤を含有する固形状に処方された写真処理用薬品」を「黒白又はカラー現像剤化合物、及び助剤を含有する固形状に処方された写真現像用薬品」と訂正する。
　訂正事項ｌ
明細書の段落【００２５】、【００２６】及び【００２７】中の「写真処理薬品」を「写真現像用薬品」と訂正する。
２．訂正の目的の適否、新規事項追加の有無、及び特許請求の範囲の実質上の拡張又は変更の存否
　訂正事項ｂ−１及びｂ−２は、請求項１において、写真処理用薬品を写真現像用薬品に限定するものであるから、特許請求の範囲の減縮を目的とする訂正に該当する。
　また、訂正事項ａは、訂正事項ｂ−１及びｂ−２による特許請求の範囲の減縮に伴い、特許請求の範囲と発明の名称の不整合を正すものであるから、明瞭でない記載の釈明を目的とする訂正に該当する。
　そして、上記訂正ｂ−１及びｂ−２は、願書に添付された明細書の段落【００１４】中の「写真処理薬剤は、黒白現像剤、カラー現像剤」及び段落【００２１】中の「実施例５（現像剤補給液）」の成分としての、「ｂ）現像剤成分　カラー現像剤ＣＤ−４」を根拠にしているから、願書に添付した明細書に記載された事項の範囲内の訂正であり、実質上特許請求の範囲を拡張し又は変更するものではない。
　訂正事項ｃ〜ｆ、ｈ〜ｌは、訂正事項ｂ−１及びｂ−２による特許請求の範囲の減縮に伴い、特許請求の範囲と発明の詳細な説明の欄の記載の不整合を正すものであるから、明瞭でない記載の釈明を目的とする訂正に該当する。
  訂正事項ｇは、明瞭でない記載の釈明を目的とする訂正に該当する。
３．独立特許要件
(１)取消理由の概要
　取消理由の趣旨は、（ｉ）訂正前の請求項１に係る発明は、下記の刊行物に記載された発明であるから、特許法第２９条第１項第３号に該当し、特許を受けることができない、（ｉｉ）本件は、明細書及び図面の記載が下記ａ．〜ｃ．の点で不備であるから、特許法第３６条第４項、第５項及び第６項に規定する要件を満たしていない特許出願に対して、特許された、というものである。 
　　　　　　　　　　　　　　　　記
刊行物　特開昭５１−６１８３７号公報
ａ．請求項において、固形分１ｋｇあたり一般式（Ｉ）の化合物を０．５〜１００ｇの量含有すると規定されているが、実施例３では、１００ｇに対して２０ｇのＰ３００を混合しており、換算すると、１ｋｇに対して２００ｇの量を混合することになり、請求項の数値限定の範囲外のものと解されるから、請求項の記載と明細書の記載が一致せず、不明瞭である。
ｂ．段落００８の記載によれば、ダストの発生は、粒径０．１ｍｍ未満の固形分の量を篩分別によって測定され、その量が２重量％未満となることで、ダストの発生がないかあるいは比較的少量しか発生しない判断されると解釈できるものである。そうすると、ダスト含有量が２重量％を越えているような実施例１〜３で使用された物質は、ダストの発生防止の効果が期待できず、所期の効果を達成することができないと解釈されるが、このように効果が期待できない物質を含んだ一般式（Ｉ）の化合物を、請求項において規定している根拠は何に基づいているのか明瞭でない。
ｃ．段落００１８の実施例１の記載中「本発明による物質２０ｇまたは次に示す量の物質」記載における「本発明による物質」及び「次に示す量の物質」の関係が不明であり、記載に不備がある。
(２)訂正後の各発明
　訂正請求書に添付された全文訂正明細書の特許請求の範囲の請求項１に係る発明は、下記のとおりである。
 「【請求項１】 黒白又はカラー現像剤化合物、及び助剤を含有する写真現像用薬品であって、該薬品がさらに下記式（Ｉ）
【化１】
　　　　　ＨＯ−(−Ｒ−Ｏ−)ｎ−Ｈ 　  　　　　　　　（Ｉ）
　　式中、ＲはＣ２−４のアルキルを示し、
　　ｎは１−２００である、
によって表される少なくとも１種の化合物を固形分１ｋｇあたり０．５−１００ｇの量で含有することを特徴とする固形状に処方された写真現像用薬品。」
(３)刊行物に記載された発明
　刊行物には、（イ）「写真感光材料処理錠剤において、感光材料処理用の通常の化合物を組み合せ、それらに不活性な固結剤、および水と接触した場合に該錠剤を膨潤及び崩壊させる薬剤を含有する写真感光材料処理用錠剤」（特許請求の範囲）に関して、（ロ）「粉末状の製品は、その無水状態のためにより長い保存期間を有するが、使用するに不便であり、写真用浴の製造中に、ダストの形で粉末体が分散する危険がある。このダストは特に暗室中で厄介であり、それが接触し感光材料上に点、斑点等を生ずる。」（第１頁右下欄下から第３行〜第２頁左上欄第３行）、（ハ）「本発明の目的は、実際に液体および粉末製品に内在する不利益な点を除くことができ、かつそれらの夫々の利点を保持している写真感光材料処理のための化学組成物錠剤を提供することにより上記の不利を除くことにある。」（第２頁左上欄第８〜１２行）、（ニ）「本発明が当面し解決した問題は、水に自然に、しかも塊を作ることなく、極めて短時間に溶ける錠剤を提供することにある。」（第２頁左下欄第１１〜１３行）、（ホ）「錠剤を作るための、不活性の固結剤に加えて、感光材料処理のための化合物と錠剤を膨潤し、崩壊させる化合物を組み合せて錠剤を作ることにより、膨潤剤が水を吸収するために、錠剤が膨潤し崩壊して、水に溶けて溶液になることが容易に達成されることが見出された。」（第２頁左下欄第１４〜２０行）、（ヘ）「錠剤を膨潤し崩壊する化合物として、水を吸収することにより１０〜１，０００倍に膨張する能力を有する天然及び／又は合成の高分子量の水性コロイドをゾルまたはゲルの形で加えること」（第２頁右下欄第６〜１０行）、（ト）「最良の効果を与える高分子重合体として、次のものがあげられる：グラフト共重合体であるアミド−アクリロニトリルカルボン酸のアルカリ金属塩・・・・・・ポリエチレンオキサイドおよび橋かけされた同族体、・・・・・・ポリアクリルアミド。」（第２頁右下欄下から第６行〜第３頁左上欄末行）と記載されている。そして、ポリグリコール６０００（固結剤）及び膨潤崩壊性水性コロイド（化合物名不明）を含有する写真感光材料処理用錠剤の実施例として、陽画白黒現像の平均ｐＨのアルカリ錠剤Ｂ（第３頁右下欄下から第９〜４行）、陰画現像の平均のｐＨのアルカリ錠剤Ｂ（第４頁右上欄下から第６〜１行）、高いｐＨのアルカリ錠剤Ｂ（第４頁左下欄第２〜７行）、カラー現像のカラー用錠剤Ｂ（第５頁左上欄第９〜１４行）、カラー用錠剤Ｂ（第５頁左上欄下から第４行〜右上欄第２行）、カラー漂白定着の漂白用錠剤Ａ（第５頁右上欄第５〜１２行）が示されている。
　ポリグリコールは、ポリエチレングリコールと同義のもので、ポリエチレングリコール６０００は、その分子量が６０００ものと解されるから、以上の記載をまとめると、写真感光材料処理錠剤として、固結剤に分子量６０００のポリエチレングリコールを含有した、陽画白黒現像の平均ｐＨのアルカリ錠剤Ｂ（第３頁右下欄下から第９〜４行）、陰画現像の平均のｐＨのアルカリ錠剤Ｂ（第４頁右上欄下から第６〜１行）、高いｐＨのアルカリ錠剤Ｂ（第４頁左下欄第２〜７行）、カラー現像のカラー用錠剤Ｂ（第５頁左上欄第９〜１４行）、カラー用錠剤Ｂ（第５頁左上欄下から第４行〜右上欄第２行）、カラー漂白定着の漂白用錠剤Ａ（第５頁右上欄第５〜１２行）が示されているといえる。
（４）判断
ａ．取消理由通知で指摘した理由（ｉｉ）について、
　特許請求の範囲の記載と一致していないとされた、本件明細書の実施例１〜３は、それらを削除する訂正がされたから、取消理由通知で指摘した理由（ｉｉ）の点は解消した。
ｂ．取消理由通知で指摘した理由（ｉ）について
　本件請求項１に係る発明（以下、「本件発明」という。）と刊行物に記載された発明を対比する。
　本件発明の固形状に処方された写真現像用薬品は、その成分に現像剤化合物、すなわち、現像主薬を必須の成分とし、助剤、さらに式（Ｉ）で表される化合物の少なくとも１種を含有することを特定量含有することを要件とするもである。
  刊行物に記載された発明には、写真感光材料処理用の陽画白黒現像の平均ｐＨのアルカリ錠剤Ｂ、陰画現像の平均のｐＨのアルカリ錠剤Ｂ及びカラー現像のカラー用錠剤Ｂが記載されているが、それらに対応して記載された錠剤Ａの記載を参酌すると、錠剤Ａが写真現像主薬を含むもの、錠剤Ｂが写真現像助剤を含むものに相当し、現像主薬と助剤はそれぞれ別の錠剤に含まれているものであるから、刊行物には「黒白又はカラー現像剤化合物、及び助剤を含有する写真現像用薬品であって、該薬品がさらに下記式（I）
【化１】
　　　　　ＨＯ?(−Ｒ−Ｏ−)ｎ?Ｈ 　  　　　　　　　（I）
　　式中、ＲはＣ２−４のアルキルを示し、
　　ｎは１?２００である、
によって表される少なくとも１種の化合物を固形分１ｋｇあたり０．５−１００ｇの量で含有する固形状に処方された写真現像用薬品」が開示されているとはいえない。
　よって、訂正後の請求項１に係る発明は、刊行物に記載された発明ではあるとはいえず、特許法第２９条第１項第３号に該当しない。
　したがって、訂正後の請求項１に係る発明は、特許出願の際に独立して特許を受けることができないものではない。
４．むすび
　以上のとおりであるから、本件訂正は、特許法の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書き、第２項及び第３項の規定に適合するので、当該訂正を認める。
III．特許異議申立について
１．本件請求項１に係る発明
　本件の請求項１に係る発明は、前記訂正後の特許請求の範囲の請求項１に記載されたとおりのものである。
２．特許異議申立の理由の概要
　特許異議申立人コニカ株式会社は、甲第１号証（特開昭５１−６１８３７号公報、前記刊行物と同じ）を提出して、（１）請求項１に係る発明は、甲第１号証に記載された発明であるから、特許法第２９条第１項第３号の規定により、請求項１に係る特許を取り消すべきである、（２）請求項１に係る発明は、甲第１号証に記載された発明に基づいて当業者が容易に発明をすることができた程度のものであるから、特許法第２９条第２項の規定により、請求項１に係る特許を取り消すべきである、旨主張する。
３．判断
異議申立人の主張する理由（１）について
　異議申立人の主張する理由１は、取消理由通知の理由（ｉ）と同様であるから、それに対する判断は、前記ＩＩ．３独立特許要件における（４）判断の欄に記載したとおりである。
　なお、異議申立人は、甲第１号証における、「膨潤および崩壊させる薬剤」の化合物として、その例示に「ポリエチレンオキシド」が記載されていることを根拠として、本件発明は、甲第１号証に記載された発明である旨主張しているが、該「ポリエチレンオキシド」の分子量については、何も具体的に記載されていなし、実施例では、「膨潤および崩壊させる薬剤」の化合物は、「膨潤崩壊性水性コロイド」としか記載されていないから、多数例示された「膨潤および崩壊させる薬剤」化合物の中の一例としての「ポリエチレンオキシド」をもって、本件発明において式（Ｉ）で特定されたポリオキシエチレングリコールが開示されているとすることはできない。
異議申立人の主張する理由（２）について
　訂正された本件請求項１に係る発明と甲第１号証に記載された発明を対比すると、両者は、ポリグリコール６０００を含有する固形状に処方された写真感光材料処理用薬品で一致するが、（ａ）、写真感光材料処理用薬品について、本件発明は「現像剤化合物」（すなわち「現像主薬」）及び助剤と特定されているに対して、甲第１号証に記載された発明では、「現像剤化合物」には特定されていない点、（ｂ）ポリグリコールを含有させる目的が、本件発明は、写真現像用薬品のダスト発生防止であるのに対して、甲第１号証に記載された発明では、固結剤である点で相違する。
　そして、甲第１号証には、ポリグリコール６０００を固結剤として含有させ、固形状（錠剤）とする対象の写真感光材料処理用薬品として、現像剤化合物は具体的に記載されていない上に、ポリグリコール６０００を含有した場合、ダストの発生が防止できることを示唆する記載もない。
　本件特許明細書の記載によれば、本件請求項１に係る発明は、上記相違点により、ダストの発生が防止できるという、刊行物の記載からは予測し得ない効果を奏したものである。
　したがって、本件請求項１に係る発明は、刊行物に記載された発明に基づいて、当業者が容易に発明をすることができたものとはいえない。
　なお、異議申立人は、甲第１号証に記載された発明は、「写真浴の製造中に飛散するダストを除くこと」が、その発明の目的とされ、「膨潤および崩壊させる薬剤」の化合物としての「ポリエチレンオキシド」には、ポリグリコール６０００も包含され、それらの化合物は、本件発明の式（Ｉ）で表されるポリオキシエチレングリコールに一致するからダスト発生を防止できる化合物に相当するので、本件発明は、甲第１号証に記載された発明に基づいて当業者が容易に発明をすることができた旨主張している。
　しかしながら、「写真浴の製造中に飛散するダスト」は一般的な技術課題としては記載はされているが、甲第１号証の発明の目的に、「写真浴の製造中に飛散するダストを除くこと」が具体的に記載されているとは認められない。（上記摘示（ハ）及び（ニ）参照。）　そして、甲第１号証には、「膨潤および崩壊させる薬剤」の化合物としての「ポリエチレンオキシド」の分子量については、具体的に何も記載されていないし、「膨潤および崩壊させる薬剤」の化合物としての「ポリエチレンオキシド」または固結剤のポリグリコール６０００を含有させることで、「写真浴の製造中に飛散するダストを除くこと」ができることを示唆する記載はない。したがって、異議申立人の主張は、採用することができない。
IV．むすび
  以上のとおりであるから、本件請求項１の発明に係る特許は、特許異議申立の主張および提出された証拠方法によっては、取り消すことはできない。　また、他に本件請求項１の発明に係る特許を取り消すべき理由を発見しない。
  したがって、本件請求項１の発明に係る特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年１１月９日（２０００．１１．９）
【訂正の要旨】
平成１２年６月１３日付訂正請求書による、訂正事項は次のとおりである。
　訂正事項ａ
明瞭でない記載の釈明を目的として、明細書の発明の名称の欄における「写真用薬品」を「写真現像用薬品」と訂正する。
　訂正事項ｂ−１
特許請求の範囲の減縮を目的として、明細書の特許請求の範囲請求項１の「必須の活性成分及び助剤を含有する写真処理用薬品」を「黒白又はカラー現像剤化合物、及び助剤を含有する写真現像用薬品」と訂正する。
　訂正事項ｂ−２
特許請求の範囲の減縮を目的として、明細書の特許請求の範囲請求項１の末尾の「写真処理用薬品」を「写真現像用薬品」と訂正する。
　訂正事項ｃ
明瞭でない記載の釈明を目的として、明細書の段落【０００１】中の「写真用薬品」を「写真現像用薬品」と訂正する。
　訂正事項ｄ
明瞭でない記載の釈明を目的として、明細書の段落【００１１】中の「必須の活性成分及び助剤を含有する固形状に処方された写真処理用薬品」を「黒白又はカラー現像剤化合物、及び助剤を含有する固形状に処方された写真現像用薬品」と訂正する。
　訂正事項ｅ
明瞭でない記載の釈明を目的として、明細書の段落【００１４】中の「写真処理薬剤は、黒白現像剤、カラー現像剤、漂白剤、定着剤、漂白定着剤、および安定剤など」を「写真現像剤は、黒白現像剤、カラー現像剤」と訂正する。
　訂正事項ｆ
明瞭でない記載の釈明を目的として、明細書の段落【００１５】中の「写真処理用薬剤は、通常の活性な主薬と補助剤」を「写真現像剤は、通常の助剤」と訂正する。
　訂正事項ｇ
明瞭でない記載の釈明を目的として、明細書の段落【００１６】中の「写真処理浴の活性な主薬と補助剤」を「写真現像剤と助剤」と訂正する。
　訂正事項ｈ
明瞭でない記載の釈明を目的として、明細書の段落【００１７】中の「処理浴」（２箇所）を「現像用薬品」と訂正する。
　訂正事項ｉ
明瞭でない記載の釈明を目的として、明細書の段落【００１８】〜【００２１】中の「【実施例】実施例１・・・・５分後のダスト含有量　　　　　　０．０１重量％」を削除する。
　訂正事項ｊ
明瞭でない記載の釈明を目的として、明細書の段落【００２１】中の「実施例５」を「実施例１」と訂正する。
　訂正事項ｋ
明瞭でない記載の釈明を目的として、明細書の段落【００２４】中の「必須の活性成分及び助剤を含有する固形状に処方された写真処理用薬品」を「黒白又はカラー現像剤化合物、及び助剤を含有する固形状に処方された写真現像用薬品」と訂正する。
　訂正事項ｌ
明瞭でない記載の釈明を目的として、明細書の段落【００２５】、【００２６】及び【００２７】中の「写真処理薬品」を「写真現像用薬品」と訂正する。
（５４）【発明の名称】
ダスト発生の少ない写真
現像
（５７）【特許請求の範囲】
　１．　
黒白又はカラー現像剤化合物、及び助剤を含有する写真現像用薬品
　【化１】
　　　　　ＨＯ−（‐Ｒ‐Ｏ‐）ｎ−Ｈ　　　　　　　（Ｉ）
　　式中、ＲはＣ２−４のアルキルを示し、
　　ｎは１−２００である、
によって表される少なくとも１種の化合物を固形分１ｋｇあたり０．５−１００ｇの量で含有することを特徴とする固形状に処方された写真
現像
【発明の詳細な説明】
　本発明は、その調製時にダスト発生が少なく、かつ工程の簡単な調合された固形の写真
現像
　現像浴、漂白浴および定着浴などの写真用処理浴は、多くの場合、必要な活性薬剤を低濃度で含んでおり、従って水と濃縮された化学薬品とさらに場合によってはその他の助剤から使用者自身の手で調製される。
　その濃縮された化学薬品は、できるだけ調合が簡単で実質的に不純物を含まず、そして梱包費用と輸送費用が不必要に高くならないようにしなければならない。
　すぐに使用できる写真用処理浴を調合するために通常用いられる液状濃縮物は、ダストを発生せず溶解が容易であるという点で、以前用いられていた粉末製品よりも優れている。しかし濃縮された化学薬品は、かなりの重量と体積の水を含んでおり、また廃棄し難い嵩高い容器に入れられているという欠点をもっている。
　しかしながら、これらの欠点を改良する目的で開発されたドイツ特許公開公告３７　３３　８６１号によるスプレー乾燥または凍結乾燥製品は、大量のダストを発生するという欠点を残している。
　したがって本発明の目的は、ダストの発生する割合の少ない、つまりダストを全く発生しないかあるいは比較的少量しか発生しないことを特徴とする、調合された固形の写真用処理薬品を調製する方法を提供することにある。しかもこうして調製された生成物は、水にすばやく溶解しなければならない。
　いまやこの問題は写真処理浴の固形成分に少量の親水性有機化合物を添加することによって解決された。
粒径０．１ｍｍ未満の固形分を全く、あるいはほとんど含まない場合に、その配合物はダストを発生しないかあるいは比較的少量しか発生しないといわれる。その量は通常の節分別によって測定され、好ましくは２重量％未満、とりわけ１重量％未満、である。
従って、本発明は、次式（Ｉ）
　【化３】
　　　　　ＨＯ−（‐Ｒ‐Ｏ‐）ｎ−Ｈ　　　　　　　（Ｉ）
　　式中、ＲはＣ２−４のアルキルを示し、
　　ｎは１−２００である、
によって表される少なくとも１種の化合物を、固形分１ｋｇあたり０．５−１００ｇ、好ましくは５−２０ｇ、の量で、含有することを特徴とする、
黒白又はカラー現像剤化合物、及び助剤を含有する固形状に処方された写真現像用薬品
　式Ｉによって表される化合物として適合するものは、エチレングリコールとその同族体、平均分子量２００−１０，０００のポリエチレングリコール、プロピレングリコール、および平均分子量２００−１０，０００のポリプロピレングリコールなどであり、好ましくは平均分子量３００−１０００のポリエチレングリコール、例えばポリエチレングリコール３００、４００、６００および１０００、略称Ｐ３００、Ｐ４００、Ｐ６００、Ｐ１０００、である。
　適合する写真
現像
剤で
　これらの写真
現像
の助
　本発明によるダスト発生割合の少ない製品の調製方法は、写真
現像剤化合物と助剤
　本発明による方法において写真
現像用薬品
現像用薬品
う。
実施例１（現像剤補給液）
ａ）アルカリ成分
　次の薬品を（全固形分を基準として）２重量％のＰ６００とともに乱気流中で３分間混合した：
　水酸化カリウム　　　　　　　　　　　　　　　　　３５ｇ
　臭化カリウム　　　　　　　　　　　　　　　　　　　０．５９ｇ
　亜硫酸ナトリウム　　　　　　　　　　　　　　　　　４．８５ｇ
　水酸化ナトリウム　　　　　　　　　　　　　　　　　１．１ｇ
　初めのダスト含有量　　　　　　　　　　　　　　　１３％
　３分後のダスト含有量　　　　　　　　　　　　　　　０．８％
ｂ）現像剤成分
　カラー現像剤ＣＤ−４を（全固形分を基準として）１重量％のＰ６００とともに乱気流中で３分間混合した：
　初めのダスト含有量　　　　　　　　　　　　　　　　１．２％
　３分後のダスト含有量　　　　　　　　　　　　　　　０．０％
ｃ）ヒドロキシルアンモニウム硫酸塩（ＨＸ）−ジエチレントリアミン五酢酸（ＤＴＰＡ）混合物
　次の物質を（全固形分を基準として）１重量％のＰ６００とともに乱気流中で３分間混合した：
　ＤＴＰＡ　　　　　　　　　　　　　　　　　２８０ｇ
　ＨＸ　　　　　　　　　　　　　　　　　　　２６０ｇ
　初めのダスト含有量　　　　　　　　　　　　　　３．０％
　３分後のダスト含有量　　　　　　　　　　　　　０．０％
　本発明の主なる特徴と態様は以下のとおりである。
　１．次式（Ｉ）
　【化５】
　　　　　ＨＯ−（‐Ｒ‐Ｏ‐）ｎ−Ｈ　　　　　（Ｉ）
　　式中、ＲはＣ２−４のアルキルを示し、
　　ｎは１−２００である、
によって表される少なくとも１種の化合物を固形分１ｋｇあたり０．５−１００ｇの量で、含有することを特徴とする、
黒白又はカラー現像剤化合物、及び助剤を含有する固形状に処方された写真現像用薬品
　２．粒径０．１ｍｍ未満の固形分を２重量％未満含んでいることを特徴とする、態様１に記載の固形状の配合された写真
現像用
　３．平均分子量３００−１０００のポリエチレングリコールを少なくとも１種類含んでいることを特徴とする、態様１に記載の固形状の配合された写真
現像用
　４．固形分１ｋｇあたり０．５−１００ｇの割合で添加物を、含有していることを特徴とする、態様１に記載の固形状の配合された写真
現像用